(57)【要約】【課題】壁面材が一体に取り付けられた発泡樹脂ブロックを用いて壁面構造体を形成するにあたり、発泡樹脂ブロックの敷設作業と並行して目地処理が行えるようにし、壁面材の剥がれを抑制する機能を装備して壁面構造体を堅牢な構成とする。【解決手段】上下に重ねて且つ横に並べて発泡樹脂ブロック３を敷設するにあたり、発泡樹脂ブロック３の設置と並行して、上下及び左右に並べた発泡樹脂ブロック３，３の間にできる継ぎ目部に、ブロック後方からの操作によって、継ぎ目部の両側の壁面材３２，３２の縁部に重なる幅を有する縦目地カバー材４Ａと横目地カバー材４Ｂを装着固定して継ぎ目部を両目地カバー材４Ａ，４Ｂで塞ぐ。【選択図】図１
2015209668.tif 000002
【特許請求の範囲】
【請求項１】
本体ブロックの一側の側面に壁面材を一体化させてなる発泡樹脂ブロックを、前記壁面材が取り付けられた側の面の向きを同方向に揃えて列設し、且つその上に複数段に積み重ねて構成される軽量盛土構造体において、
上下に重ねて又は／及び横に並べて接合した発泡樹脂ブロック同士の壁面材の継ぎ目部に沿って、当該継ぎ目部と継ぎ目部の両側の壁面材の縁部に重なる幅を有する金属製又はプラスチック製の目地カバー材を装着して、継ぎ目部を目地カバー材で塞いだ構成を有することを特徴とする軽量盛土構造体。
【請求項２】
請求項１に記載の軽量盛土構造体に使用される目地カバー材において、
継ぎ目部の両側の壁面材に架け渡して両壁面材の縁部に重なる幅を有する帯状のカバー面部と、前記継ぎ目部の両側の発泡樹脂ブロックの本体ブロックの重なり部に挿入されて本体ブロックの表面に定着される差込面部を有し、カバー面部の裏面に差込面部が一体に設けられた構成を有することを特徴とする目地カバー材。
【請求項３】
壁面材の縦方向の継ぎ目部を塞ぐ縦目地カバー材と、横方向の継ぎ目部を塞ぐ横目地カバー材からなる請求項２に記載の目地カバー材。
【請求項４】
本体ブロックの一側の側面に壁面材を一体化させてなる複数の発泡樹脂ブロックを、前記壁面材が取り付けられた側の面の向きを同方向に揃えて列設し、且つその上に複数段に積み重ねて軽量盛土構造体を設置する方法において、
基礎工がなされた地盤上に複数の発泡樹脂ブロックを列設するとともに、隣接する発泡樹脂ブロック同士の壁面材の継ぎ目部に沿って目地カバー材を装着固定して継ぎ目部を塞ぐ工程と、
前記地盤上に列設された発泡樹脂ブロックの上面に複数の発泡樹脂ブロックを列設するとともに、上下に重なる発泡樹脂ブロック同士の壁面材の継ぎ目部に沿って目地カバー材を装着固定して継ぎ目部を塞ぐ工程と、
を有することを特徴とする軽量盛土構造体の設置方法。
【発明の詳細な説明】
【技術分野】
【０００１】
本発明は、地盤上に発泡樹脂ブロックを多段に積み重ねて構築される軽量盛土構造体に関する。
【背景技術】
【０００２】
従来の軽量盛土構造体として、本体ブロックの四側面のうちの一面のみに軽量モルタルからなる壁面材を一体に取り付けた発泡樹脂ブロックを用い、これを壁面材の向きを外向きに揃えて複数個を列状に設置しつつ多段に積み上げて壁面構造体を構築する構造のものが知られている。
【０００３】
かかる軽量盛土構造体の施工は、地盤への発泡樹脂ブロックの敷設工事が完了した後、発泡樹脂製の本体ブロックの表面が露出していることによるブロックの変質を防ぐため、図８に示されるように、発泡樹脂ブロック１００の本体ブロック１０１に取り付けられた壁面材１０２と、上下左右に隣接した発泡樹脂ブロック１００の壁面材１０２の間の目地処理として、壁面材１０２，１０２の端部間の目地１０３にバックアップ材と称する棒状の発泡材１０４を押し込んだうえで、発泡材１０４の表面側に液体シーリング材１０５を充填して、目地１０３に発泡材１０５を定着させるようにしていた（例えば特許文献１，２参照）。
【先行技術文献】
【特許文献】
【０００４】
【特許文献１】実開平５−５７００７号公報
【特許文献２】特開２００７−２５０４号公報
【発明の概要】
【発明が解決しようとする課題】
【０００５】
前記従来の施工方法においては、目地処理を行なうため、発泡樹脂ブロックの敷設工事が完了した後に、多段に積み上げた発泡樹脂ブロックに沿って作業用の足場を新たに設置しなければならず、施工に手間と時間を要するものであった。
また、発泡樹脂ブロックの敷設工事完了後、作業用の足場を設置して目地処理を開始するまでに時間がかかった場合、露出したままの目地部分が汚れて或いは日光の直射によって表面が劣化することが懸念され、降雨や朝露などによる水滴が目地部分に含浸して接着不良を引き起こすなど、施工品質のバラツキを生じさせる可能性があった。
さらに、壁面構造体は発泡樹脂ブロックを略垂直に複数段積み上げた構造のものであり、また、前記目地処理は壁面材の周りの目地に発泡材を定着させただけのものに過ぎず、壁面材を固定する機能は有していないため、何らかの原因で壁面材を剥がす方向の力が作用した場合に、壁面材の落下を抑制することができないという問題があった。
【０００６】
本発明は従来の技術の有するこのような問題点に鑑み、壁面材が一体に取り付けられた発泡樹脂ブロックを用いて壁面構造体を形成するにあたり、発泡樹脂ブロックの敷設作業と並行して目地処理が行えるようにすること、目地処理により目地部分を確実に塞いで発泡樹脂ブロックが変質を来たさないようにすること、及び壁面材の剥がれを抑制する機能を装備して壁面構造体を堅牢な構成とすることを課題とする。
【課題を解決するための手段】
【０００７】
前記課題を解決するため本発明は、一側の側面に壁面材を一体化させてなる複数の発泡樹脂ブロックを、前記壁面材が取り付けられた側の面を同じ方向に揃えて、複数段に積み重ねて構成される軽量盛土構造体において、
上下に重ねて又は／及び横に並べて接合した発泡樹脂ブロック同士の壁面材の継ぎ目部に沿って、当該継ぎ目部と継ぎ目部の両側の壁面材の縁部に重なる幅を有する金属製又はプラスチック製の目地カバー材を装着して、継ぎ目部を目地カバー材で塞いだ構成を有することを特徴とする。
【０００８】
前記構成の軽量盛土構造体は、基礎工がなされた地盤上に複数の発泡樹脂ブロックを列設するとともに、隣接する発泡樹脂ブロック同士の壁面材の継ぎ目部に沿って目地カバー材を装着固定して継ぎ目部を塞ぐ工程と、
前記地盤上に列設された発泡樹脂ブロックの上面に複数の発泡樹脂ブロックを列設するとともに、上下に重なる発泡樹脂ブロック同士の壁面材の継ぎ目部に沿って目地カバー材を装着固定して継ぎ目部を塞ぐ工程と、
を含む作業工程により設置することができる。
すなわち、軽量盛土構造体の施工は、例えば基礎工がなされた地盤に発泡樹脂ブロックを設置し、これに他の発泡樹脂ブロックを壁面材の向きを揃えてブロックの側面同士が接合するようにして隣接設置する。この際、側面同士を接合することによる両発泡樹脂ブロックの壁面材の縁部間に跨るようにして目地カバー材を装着固定して、壁面材間の継ぎ目部を目地カバー材で塞ぐ。
次いで、前記他の発泡樹脂ブロックの他側の側面に、さらに他の発泡樹脂ブロックを隣接設置し、前記と同様に、両発泡樹脂ブロックの壁面材間の継ぎ目部に沿って目地カバー材を装着固定して継ぎ目部を塞ぎ、以降、発泡樹脂ブロックの隣接設置しつつブロック同士の継ぎ目部に目地カバー材を取り付けて発泡樹脂ブロックを列設する。
そして、前記地盤上に設置された発泡樹脂ブロック列の上部に、二段目となる発泡樹脂ブロックを積み重ねるが、この際、前記と同様にして、二段目の発泡樹脂ブロックを一段目の発泡樹脂ブロックの上面に壁面材の向きを揃えて列設しつつ、ブロック同士の継ぎ目部に目地カバー材を取り付けて壁面材間の縦方向の継ぎ目部を目地カバー材で塞ぐとともに、一段目と二段目の発泡樹脂ブロック同士の横方向の継ぎ目部にも、両発泡樹脂ブロックの壁面材の縁部間に跨るようにして目地カバー材を装着固定して、目地カバー材で継ぎ目部を塞ぐ。
以降、同様にして、発泡樹脂ブロックを隣接して設置する操作及び積み重ねて設置する操作と、隣接設置された発泡樹脂ブロック間の縦方向の継ぎ目部と上段に積み重ねた発泡樹脂ブロックとの横方向の継ぎ目部に沿って目地カバー材を逐次装着固定する操作を繰り返して発泡樹脂ブロックを敷設することで、発泡樹脂ブロックを複数段積み上げた軽量盛土構造体の施工が完了する。
【０００９】
これによれば、発泡樹脂ブロックの継ぎ目部に装着される目地カバー材を形成しておき、これを、発泡樹脂ブロックを設置して積み上げる際に、壁面材が取り付けられた側に表出した発泡樹脂ブロックの継ぎ目部に装着固定することで目地処理が完了するので、従来の如く発泡樹脂ブロックの敷設工事の後で目地処理を行なうための足場の設置は不要であり、また、設置した発泡樹脂ブロックの背面側（壁面材が取り付けられた側とは反対側）から目地カバー材を取り付けることができるので、作業の安全性と施工性の向上が図られ、施工コストも低廉に抑えることができる。
また、継ぎ目部に装着固定された目地カバー材で継ぎ目部が塞がれて、継ぎ目部に沿って露出していた発泡樹脂ブロックの表面が目地カバー材で覆われるので、露出によって発泡樹脂ブロックが変質する事態を確実に防ぐことができる。さらに、目地カバー材は、継ぎ目部を挟んで配置された両壁面材の縁部に重ねて装着固定されるので、壁面材はその縁部が目地カバー材により支持されて、発泡樹脂ブロックの取り付け位置に固定され、構造体の設置後に剥がれ落ちるようなことはない。
【００１０】
前記構成の軽量盛土構造体に使用される目地カバー材は、継ぎ目部の両側の壁面材に架け渡して両壁面材の縁部に重なる幅を有する帯状のカバー面部と、前記継ぎ目部の両側の発泡樹脂ブロックの本体ブロックの重なり部に挿入されて本体ブロックの表面に定着される差込面部を有し、カバー面部の裏面に差込面部を一体に設けて構成することができる。
また、目地カバー材は、壁面材の縦方向の継ぎ目部を塞ぐ縦目地カバー材と、横方向の継ぎ目部を塞ぐ横目地カバー材により構成することができる。
【００１１】
前記構成の目地カバー材において、継ぎ目部に沿って装着した目地カバー材を装着位置に固定するため、差込面部に発泡樹脂ブロック表面への定着手段が設けてあることが好ましい。
差込面部に設ける定着手段としては、発泡樹脂ブロックに突き刺される爪片を打抜きによって差込面部の片面又は両面に設けたり、差込面部の片側からこれと重なる重合発泡樹脂ブロックに釘やビス、棒体などを通したり、差込面部の端部に本体ブロックや発泡樹脂ブロック後方に設置される構造体に係合したり接続したりする部位を設けたりするなど、差込面部をブロック表面に固定するための適宜な手段を用いることができる。継ぎ目部に装着されて壁面材の縁部に接合するカバー面部の裏面側に適宜な定着手段を設けてもよい。
【００１２】
発泡樹脂ブロックは、その本体ブロックの一側の側面に壁面材を一体に取り付けて構成されるが、発泡樹脂ブロックを積み重ねることにより上段の発泡樹脂ブロックの荷重を受けて下段の発泡樹脂ブロックが鉛直方向に沿って圧縮したときに、上段の壁面材が下段の壁面材に衝突しないようにするため、壁面材はその上下端部に本体ブロックの上下端部との間にそれぞれ１０ｍｍ程度の圧縮代を設けて取り付けられる。よって、発泡樹脂ブロック積み上げたときにできる上下の壁面材間の目地は２０ｍｍ程度となることから、目地カバー材のカバー面部は、前記寸法の目地を覆って上下の壁面材の縁部に重なるように、２５ｍｍ〜３０ｍｍ程度の幅に設けてあることが好ましい。
また、カバー面部の長さは、縦目地カバー材は発泡樹脂ブロックの高さ寸法或いは高さ寸法よも若干小さく５００ｍｍ〜４００ｍｍ程度、横目地カバー材は発泡樹脂ブロックの壁面材が取り付けられる側の面の幅寸法と略同じ１０００ｍｍ程度に設けることができる。また、目地カバー材の差込面部は５００ｍｍ程度に設けることができる。カバー面部と差込面部の厚みは２ｍｍ程度に設けることができる。
目地カバー材の材質は金属或いはプラスチックを用いることができる。
金属製の目地カバー材としては、耐蝕性に優れたアルミニウムを用いるのが好適であり、押出成形によりカバー面部と差込面部を一体に形成する他、アルミＴ型アングル材に適宜な幅及び長さの拡長板を一体に連結して形成することができる。
プラスチック製の目地カバー材としては、難燃性及び自己消化性に優れたシリコーン樹脂、或いは難燃剤を添加した、ポリエチレン樹脂、ポリプリプロピレン樹脂、エチレン・プロピレン樹脂（ＥＰＲ）、エチレン・プロピレン架橋用ジエンモノマー樹脂（ＥＰＤＭ）、エチレン・酢酸ビニル樹脂（ＥＶＡ）、アクリロニトリル・スチレン・アクリレート樹脂（ＡＳＡ）、アクリロニトリル・スチレン樹脂（ＡＳ）或いは塩化ビニル樹脂（ＰＶＣ）を用いて成形することができる。
【図面の簡単な説明】
【００１３】
【図１】本発明の一実施形態の軽量盛土構造体の外観図である。
【図２】構造体を構成する発泡樹脂ブロックの外観図である。
【図３】本発明の一実施形態の縦目地カバー材の外観図である。
【図４】本発明の一実施形態の横目地カバー材の外観図である。
【図５】図１の構造体における縦横の継ぎ目部の交差部分の要部破断拡大図である。
【図６】図１の構造体における横目地カバー材を装着した部分の拡大縦断面図である。
【図７】本発明の他の実施形態の縦目地カバー材と横目地カバー材の外観図である。
【図８】従来の軽量盛土構造体の目地処理を説明するための図である。
【発明を実施するための形態】
【００１４】
本発明の好適な実施形態を、図面を参照して説明する。
図１は本発明の軽量盛土構造体の外観を示しており、図中、符番１は軽量盛土構造体、２は地盤、３は発泡樹脂ブロック、４は目地カバー材である。本発明の軽量盛土構造体１は、地盤２上に縦横複数列に且つ複数段に発泡樹脂ブロックを積み上げて構成される盛土構造体のうち、その外側の面を形成する列に積み上げる発泡樹脂ブロックとして一側の面に壁面材３２が取り付けられた発泡樹脂ブロック３を用いるとともに、発泡樹脂ブロック３の壁面材３１と上下左右に隣接する他の発泡樹脂ブロック３の壁面材３１との継ぎ目部に沿って目地カバー材４を装着固定して、継ぎ目部を目地カバー材４で塞いだ構造のものである。
【００１５】
発泡樹脂ブロック３は、図２に示されるように、ブロック状に形成された発泡スチロール製の本体ブロック３１の一側の側面に軽量モルタルからなる壁面材３２を一体化させて、幅（Ｄ）１０００ｍｍ、高さ（Ｈ）５００ｍｍ、奥行き（Ｌ）７５０ｍｍ〜２０００ｍｍ程度の大きさに形成してある。壁面材３２は、その上下端部に本体ブロック３１の上下端部との間にそれぞれ１０ｍｍ程度の圧縮代（Ｗ）を設けて取り付けてある。
【００１６】
目地カバー材４は、壁面材３２の縦方向の継ぎ目部を塞ぐ縦目地カバー材４Ａと、横方向の継ぎ目部を塞ぐ横目地カバー材４Ｂからなり、ともに耐蝕性が良好なアルミニウム鋼板を断面Ｔ字形に加工して、縦横の継ぎ目部に沿って装着して継ぎ目部を塞ぐことのできる大きさに形成してある。
【００１７】
詳しくは、縦目地カバー材４Ａは、図３に示されるように、左右に隣接して接合される発泡樹脂ブロック３，３の縦方向の継ぎ目部を挟んで左右両側の壁面材３２，３２の縁部に重なる幅を有する帯状のカバー面部４１と、左右の発泡樹脂ブロック３，３の本体ブロック３１，３１の重なり部に挿入される差込面部４２を有し、カバー面部４１の裏面中央から差込面部４２を後方へ一体に突設させた形状に設けてある。
横目地カバー材４Ｂも縦目地カバー材４Ａと同様に、図４に示されるように、上下に重ねて接合される発泡樹脂ブロック３，３の横方向の継ぎ目部を挟んで上下に配置される壁面材３２，３２の縁部に重なる幅を有する帯状のカバー面部４１と、上下の発泡樹脂ブロック３，３の本体ブロック３１，３１の重なり部に挿入される差込面部４２を有し、カバー面部４１の裏面中央から差込面部４２を後方へ一体に突設させた形状に設けてある。
また、縦目地カバー材４Ａと横目地カバー材４Ｂの差込面部４２には、差込面部４２を本体ブロック３１，３１間の挿入位置に固定するための定着手段４３として、差込面部４２の両面に直角に折れて突出した複数の爪片を設けてある。
【００１８】
縦目地カバー材４Ａと横目地カバー材４Ｂは、前記寸法の発泡樹脂ブロック３を用いた構造体の目地の被覆に用いる場合、ともにカバー面部４１を２５ｍｍ〜３０ｍｍ程度の幅に設けることができる。また、カバー面部４１の長さは、縦目地カバー材４Ａは発泡樹脂ブロック３の高さ（Ｈ）寸法と略同じか若干小さい５００ｍｍ〜４５０ｍｍ程度、横目地カバー材４Ｂは発泡樹脂ブロック３の幅（Ｄ）寸法と略同じ１０００ｍｍ程度に設けることができる。また、ともに差込面部４２は５００ｍｍ程度の突出長さに設けることができる。
【００１９】
本形態の軽量盛土構造体１は、以下の作業工程により施工することができる。
先ず、基礎工がなされた地盤２に発泡樹脂ブロック３を設置し、これに他の発泡樹脂ブロック３を壁面材３２の向きを揃えてブロックの側面同士が接合するようにして隣接設置する。隣接設置した発泡樹脂ブロック３，３は、接合面に締結金具を挟み入れて一体に連結される。
この際、側面同士を接合することによる両発泡樹脂ブロック３，３の壁面材３２，３２の縁部間に跨るようにカバー面部４１を設置するとともに、継ぎ目部を挟んだ左右の発泡樹脂ブロック３，３の本体ブロック３１，３１の重なり部に差込面部４２を挿入して縦目地カバー材４Ａを装着固定し、壁面材３２，３２間の継ぎ目部を縦目地カバー材４Ａで塞ぐ（図５参照）。縦目地カバー材４Ａは、前記左右の本体ブロック３１，３１の重なり部に差込面部４２を挿入し、その表裏両面に設けた定着手段４３である爪片を本体ブロック３１，３１の表面に突き刺すことにより固定される。
【００２０】
次いで、前記他の発泡樹脂ブロック３の他側の側面に、さらに他の発泡樹脂ブロック３を隣接設置し、前記と同様に、両発泡樹脂ブロック３，３の壁面材３２，３２間の継ぎ目部に沿って縦目地カバー材４Ａを装着固定して継ぎ目部を塞ぎ、以降、発泡樹脂ブロック３を隣接設置しつつブロック同士の継ぎ目部に縦目地カバー材４Ａを取り付けて発泡樹脂ブロック３を列設する。
【００２１】
そして、前記地盤２上に設置された発泡樹脂ブロック３列の上部に、二段目となる発泡樹脂ブロック３を積み重ねる。この際、二段目の発泡樹脂ブロック３を一段目の発泡樹脂ブロック３の上面に壁面材３２の向きを揃えて列設しつつ、ブロック同士の継ぎ目部に横目地カバー材４Ｂを配置し、上下に接合する両発泡樹脂ブロック３，３の壁面材３２，３２の縁部間に跨るようにカバー面部４１を設置するとともに、継ぎ目部を挟んだ上下の発泡樹脂ブロック３，３の本体ブロック３１，３１の重なり部に差込面部４２を挿入して横目地カバー材４Ｂを装着固定し、上下の壁面材３２，３２間の横方向の継ぎ目部を横目地カバー材４Ｂで塞ぐ（図５及び図６参照）。横目地カバー材４Ｂは、前記上下の本体ブロック３１，３１の重なり部に差込面部４２を挿入し、その表裏両面に設けた定着手段４３である爪片を本体ブロック３１，３１の表面に突き刺すことにより固定される。
【００２２】
以降、同様にして、発泡樹脂ブロック３を隣接して設置する操作及び積み重ねて設置する操作と、隣接設置された発泡樹脂ブロック３，３間の縦方向の継ぎ目部と上段に積み重ねた発泡樹脂ブロック３，３との横方向の継ぎ目部に沿って縦目地カバー材４Ａと横目地カバー材４Ｂを逐次装着固定する操作を繰り返して発泡樹脂ブロック３を敷設することで、発泡樹脂ブロック３を複数段積み上げた軽量盛土構造体１の施工が完了する。なお、隣接設置した発泡樹脂ブロック３，３及び上下に重ねた発泡樹脂ブロック３，３は、各々接合面に締結金具を挟み入れて一体に連結される。
【００２３】
図７は、本発明の他の実施形態の縦目地カバー材４Ａと横目地カバー材４Ｂを示しており、これは、カバー面部４１を構成するアルミＴ型アングル材に、差込面部４２を構成する拡長板４４をビス留めにより一体に連結するとともに、定着手段４３として拡長板４４に通孔４４ａを形成し、通孔４４ａから通した釘４５を本体ブロック３１に打ち込むことで、拡長板４４が本体ブロック３１の表面に固定されるように設けたものである。
【００２４】
なお、図示した目地カバー材４や、目地カバー材４に設ける定着手段４３の形態は、本発明の実施形態の一例を示すものであり、本発明はこれらに限定されず、他の適宜な形態で構成することが可能である。
【符号の説明】
【００２５】
１  軽量盛土構造体、２  地盤、３  発泡樹脂ブロック、３１  本体ブロック、３２  壁面材、４  目地カバー材、４Ａ  縦目地カバー材、４Ｂ  横目地カバー材、４１  カバー面部、４２  差込面部、４３  定着手段、４４  拡長板、４５  釘
【図１】
2015209668.tif 000003
【図２】
2015209668.tif 000004
【図３】
2015209668.tif 000005
【図４】
2015209668.tif 000006
【図５】
2015209668.tif 000007
【図６】
2015209668.tif 000008
【図７】
2015209668.tif 000009
【図８】
2015209668.tif 000010
【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
本体ブロックの一側の側面に壁面材を一体化させてなる発泡樹脂ブロックを、前記壁面材が取り付けられた側の面の向きを同方向に揃えて列設し、且つその上に複数段に積み重ねて構成される軽量盛土構造体において、
上下に重ねて又は／及び左右横に並べて接合した発泡樹脂ブロック同士の壁面材の継ぎ目部に、継ぎ目部の両側の壁面材に架け渡して両壁面材の縁部に重なる幅を有する帯状のカバー面部と、継ぎ目部の両側の発泡樹脂ブロックの本体ブロックの重なり部に挿入されて本体ブロックの表面に定着される差込面部を有し、カバー面部の裏面に差込面部を一体に設けて構成された目地カバー材が装着され、
この目地カバー材が、前記継ぎ目部の両側の本体ブロックの重なり部に挿入された差込面部が当該差込面部に設けた定着手段により前記本体ブロック表面に定着されて継ぎ目部に固定されることにより、継ぎ目部両側の壁面材に跨って両壁面材の縁部の外面に重なるカバー面部で継ぎ目部が塞がれるように設けられた構成を有することを特徴とする軽量盛土構造体。
【請求項２】
請求項１に記載の軽量盛土構造体に使用される目地カバー材において、
カバー面部の裏面中央から差込面部を後方へ一体に突設させた断面Ｔ字形に形成され、差込面部の片面又は両面に定着手段が設けられた構成を有することを特徴とする目地カバー材。
【請求項３】
壁面材の縦方向の継ぎ目部を塞ぐ縦目地カバー材と、横方向の継ぎ目部を塞ぐ横目地カバー材からなる請求項２に記載の目地カバー材。
【請求項４】
本体ブロックの一側の側面に壁面材を一体化させてなる複数の発泡樹脂ブロックと、前記発泡樹脂ブロックを列設したときに発泡樹脂ブロック同士の継ぎ目部の両側の壁面材に架け渡して両壁面材の縁部に重なる幅を有する帯状のカバー面部と、継ぎ目部の両側の発泡樹脂ブロックの本体ブロックの重なり部に挿入されて本体ブロックの表面に定着される差込面部を有し、カバー面部の裏面に差込面部を一体に設けて構成された目地カバー材を用い、前記発泡樹脂ブロックをその壁面材が取り付けられた側の面の向きを同方向に揃えて列設し、且つその上に複数段に積み重ねて軽量盛土構造体を設置する方法において、
基礎工がなされた地盤上に複数の発泡樹脂ブロックを列設するとともに、隣接する発泡樹脂ブロック同士の壁面材の継ぎ目部に沿って前記目地カバー材を装着し、継ぎ目部の両側の本体ブロックの重なり部に挿入された差込面部を当該差込面部に設けた定着手段により前記本体ブロック表面に固定し、継ぎ目部両側の壁面材に跨って両壁面材の縁部の外面に重なるカバー面部で継ぎ目部を塞ぐ工程と、
前記地盤上に列設された発泡樹脂ブロックの上面に複数の発泡樹脂ブロックを列設するとともに、上下に重なる発泡樹脂ブロック同士の壁面材の継ぎ目部に沿って前記目地カバー材を前記と同様に装着固定して継ぎ目部を塞ぐ工程と、
を有することを特徴とする軽量盛土構造体の設置方法。
【手続補正２】
【補正対象書類名】明細書
【補正対象項目名】０００７
【補正方法】変更
【補正の内容】
【０００７】
前記課題を解決するため本発明は、本体ブロックの一側の側面に壁面材を一体化させてなる発泡樹脂ブロックを、前記壁面材が取り付けられた側の面の向きを同方向に揃えて列設し、且つその上に複数段に積み重ねて構成される軽量盛土構造体において、
上下に重ねて又は／及び左右横に並べて接合した発泡樹脂ブロック同士の壁面材の継ぎ目部に、継ぎ目部の両側の壁面材に架け渡して両壁面材の縁部に重なる幅を有する帯状のカバー面部と、継ぎ目部の両側の発泡樹脂ブロックの本体ブロックの重なり部に挿入されて本体ブロックの表面に定着される差込面部を有し、カバー面部の裏面に差込面部を一体に設けて構成された目地カバー材が装着され、
この目地カバー材が、前記継ぎ目部の両側の本体ブロックの重なり部に挿入された差込面部が当該差込面部に設けた定着手段により前記本体ブロック表面に定着されて継ぎ目部に固定されることにより、継ぎ目部両側の壁面材に跨って両壁面材の縁部の外面に重なるカバー面部で継ぎ目部が塞がれるように設けられた構成を有することを特徴とする。
【手続補正３】
【補正対象書類名】明細書
【補正対象項目名】０００８
【補正方法】変更
【補正の内容】
【０００８】
前記構成の軽量盛土構造体は、本体ブロックの一側の側面に壁面材を一体化させてなる複数の発泡樹脂ブロックと、前記発泡樹脂ブロックを列設したときに発泡樹脂ブロック同士の継ぎ目部の両側の壁面材に架け渡して両壁面材の縁部に重なる幅を有する帯状のカバー面部と、継ぎ目部の両側の発泡樹脂ブロックの本体ブロックの重なり部に挿入されて本体ブロックの表面に定着される差込面部を有し、カバー面部の裏面に差込面部を一体に設けて構成された目地カバー材を用い、
基礎工がなされた地盤上に複数の発泡樹脂ブロックを列設するとともに、隣接する発泡樹脂ブロック同士の壁面材の継ぎ目部に沿って前記目地カバー材を装着し、継ぎ目部の両側の本体ブロックの重なり部に挿入された差込面部を当該差込面部に設けた定着手段により前記本体ブロック表面に固定し、継ぎ目部両側の壁面材に跨って両壁面材の縁部の外面に重なるカバー面部で継ぎ目部を塞ぐ工程と、
前記地盤上に列設された発泡樹脂ブロックの上面に複数の発泡樹脂ブロックを列設するとともに、上下に重なる発泡樹脂ブロック同士の壁面材の継ぎ目部に沿って前記目地カバー材を前記と同様に装着固定して継ぎ目部を塞ぐ工程と、
を含む作業工程により設置することができる。
すなわち、軽量盛土構造体の施工は、例えば基礎工がなされた地盤に発泡樹脂ブロックを設置し、これに他の発泡樹脂ブロックを壁面材の向きを揃えてブロックの側面同士が接合するようにして隣接設置する。この際、側面同士を接合することによる両発泡樹脂ブロックの壁面材の縁部間に跨るようにして目地カバー材を装着固定して、壁面材間の継ぎ目部を目地カバー材で塞ぐ。
次いで、前記他の発泡樹脂ブロックの他側の側面に、さらに他の発泡樹脂ブロックを隣接設置し、前記と同様に、両発泡樹脂ブロックの壁面材間の継ぎ目部に沿って目地カバー材を装着固定して継ぎ目部を塞ぎ、以降、発泡樹脂ブロックの隣接設置しつつブロック同士の継ぎ目部に目地カバー材を取り付けて発泡樹脂ブロックを列設する。
そして、前記地盤上に設置された発泡樹脂ブロック列の上部に、二段目となる発泡樹脂ブロックを積み重ねるが、この際、前記と同様にして、二段目の発泡樹脂ブロックを一段目の発泡樹脂ブロックの上面に壁面材の向きを揃えて列設しつつ、ブロック同士の継ぎ目部に目地カバー材を取り付けて壁面材間の縦方向の継ぎ目部を目地カバー材で塞ぐとともに、一段目と二段目の発泡樹脂ブロック同士の横方向の継ぎ目部にも、両発泡樹脂ブロックの壁面材の縁部間に跨るようにして目地カバー材を装着固定して、目地カバー材で継ぎ目部を塞ぐ。
以降、同様にして、発泡樹脂ブロックを隣接して設置する操作及び積み重ねて設置する操作と、隣接設置された発泡樹脂ブロック間の縦方向の継ぎ目部と上段に積み重ねた発泡樹脂ブロックとの横方向の継ぎ目部に沿って目地カバー材を逐次装着固定する操作を繰り返して発泡樹脂ブロックを敷設することで、発泡樹脂ブロックを複数段積み上げた軽量盛土構造体の施工が完了する。
【手続補正４】
【補正対象書類名】明細書
【補正対象項目名】００１４
【補正方法】変更
【補正の内容】
【００１４】
本発明の好適な実施形態を、図面を参照して説明する。
図１は本発明の軽量盛土構造体の外観を示しており、図中、符番１は軽量盛土構造体、２は地盤、３は発泡樹脂ブロック、４は目地カバー材である。本発明の軽量盛土構造体１は、地盤２上に縦横複数列に且つ複数段に発泡樹脂ブロックを積み上げて構成される盛土構造体のうち、その外側の面を形成する列に積み上げる発泡樹脂ブロックとして一側の面に壁面材３２が取り付けられた発泡樹脂ブロック３を用いるとともに、発泡樹脂ブロック３の壁面材３２と上下左右に隣接する他の発泡樹脂ブロック３の壁面材３２との継ぎ目部に沿って目地カバー材４を装着固定して、継ぎ目部を目地カバー材４で塞いだ構造のものである。